(57)【要約】【課題】保護手段の発熱を抑制して誤動作を防止することが可能なコードレス電動工具の提供。【解決手段】コードレス電動工具１は、本体ケーシング１０と、本体ケーシング１０に対して着脱可能に設けられ電力を供給可能な電池２０と、本体ケーシング１０内に収容され電池２０の電力により回転力を発生するモータ３０と、モータ３０の回転力により回転する冷却ファン４０と、電池２０の状態の検出結果に応じて、過放電又は過電流状態とならないようにモータ３０への電力供給を遮断する保護手段５０とを備える。本体ケーシング１０内には、冷却ファン４０により発生する冷却風の通路が形成されており、保護手段５０は、その少なくとも一部が該冷却風の通路内に位置するように配置されている。【選択図】  図１
2008173712.tif 000002
【特許請求の範囲】
【請求項１】
本体ケーシングと、
該本体ケーシングに対して着脱可能に設けられ、電力を供給可能な電池と、
該本体ケーシング内に収容され、該電池の電力により回転力を発生するモータと、
該モータの回転力により回転する冷却ファンと、
該電池の状態の検出結果に応じて、過放電又は過電流状態とならないように該モータへの電力供給を遮断する保護手段とを備えるコードレス電動工具であって、
該本体ケーシング内には、該冷却ファンにより発生する冷却風の通路が形成されており、
該保護手段は、その少なくとも一部が該冷却風の通路内に位置するように配置されていることを特徴とするコードレス電動工具。
【請求項２】
該本体ケーシングには風窓が形成され、該保護手段は該風窓近傍に設けられていることを特徴とする請求項１記載のコードレス電動工具。
【請求項３】
該保護手段は、該冷却風の通路を遮断しない位置であって該冷却風の通路内に一部張り出す位置に設けられており、もって該風窓から導入された冷却風の一部が該保護手段に向かうとともに該冷却風の他の一部は該モータへ直接向かうように構成されていることを特徴とする請求項２記載のコードレス電動工具。
【請求項４】
該保護手段は、該冷却風が流れる方向に関して該モータよりも上流側に位置していることを特徴とする請求項１乃至３の何れか一記載のコードレス電動工具。
【請求項５】
該本体ケーシングは、該モータが収容されるモータハウジングと、ハンドルとを有し、
該モータハウジングと該ハンドルとは該電池が着脱される側の端部にて互いに連結されるとともに、該モータハウジングと該ハンドルとの間には空間が画成されており、
該保護手段は、該モータハウジング内に配置されていることを特徴とする請求項１乃至４の何れか一記載のコードレス電動工具。
【発明の詳細な説明】
【技術分野】
【０００１】
本発明はコードレス電動工具に関する。
【背景技術】
【０００２】
従来より、本体に着脱可能な電池パックから電力の供給を受けて作動するジグソーや全ねじカッタ等のコードレス電動工具（以下、電動工具と称する。）が知られている。このような電動工具を作動させるためには大きな電力が必要となるため、ニカド電池やニッケル水素電池に加え、近時、電池パックの充電池にはリチウムイオン電池が広く用いられている。
【０００３】
リチウムイオン電池は、大きな電力を供給することができると共に小形・軽量化が図れるという利点がある一方で、過充電、過電流及び過放電に対して電池の発火や寿命低下等に厳格に対処する必要がある。例えば、リチウムイオン電池は、過放電や負荷に過電流が流れると電池温度が上昇して寿命が低下したり、電動工具のモータを故障させたり、また過充電すると発火することが考えられる。上記問題に対して、過電流及び過放電を検知した場合に、電動工具への電力の供給を遮断する保護手段を備えた電池パックが知られている（例えば、特許文献１参照）。特許文献１では、保護手段としてＦＥＴが用いられている。また、保護手段としてのＦＥＴを、電池パックではなく、電動工具の本体側に設ける構成も提案されている（例えば、特許文献２参照）。
【特許文献１】特許第３２２２９５１号公報
【特許文献２】特願２００６−２４３１６８号
【発明の開示】
【発明が解決しようとする課題】
【０００４】
しかし、電動工具が高い負荷で運転されているときには、保護手段が発熱して熱の影響により誤動作を起こす可能性がある。また、保護手段の寿命が低下するおそれがある。
【０００５】
そこで本発明は、保護手段の発熱を抑制して誤動作を防止することが可能なコードレス電動工具を提供することを目的とする。
【課題を解決するための手段】
【０００６】
上記目的を達成するために、本発明は、本体ケーシングと、該本体ケーシングに対して着脱可能に設けられ、電力を供給可能な電池と、該本体ケーシング内に収容され、該電池の電力により回転力を発生するモータと、該モータの回転力により回転する冷却ファンと、該電池の状態の検出結果に応じて、過放電又は過電流状態とならないように該モータへの電力供給を遮断する保護手段とを備えるコードレス電動工具であって、該本体ケーシング内には、該冷却ファンにより発生する冷却風の通路が形成されており、該保護手段は、その少なくとも一部が該冷却風の通路内に位置するように配置されているコードレス電動工具を提供している。
【０００７】
ここで、該本体ケーシングには風窓が形成され、該保護手段は該風窓近傍に設けられているのが好ましい。さらに、該保護手段は、該冷却風の通路を遮断しない位置であって該冷却風の通路内に一部張り出す位置に設けられており、もって該風窓から導入された冷却風の一部が該保護手段に向かうとともに該冷却風の他の一部は該モータへ直接向かうように構成されているのが好ましい。
【０００８】
また、該保護手段は、該冷却風が流れる方向に関して該モータよりも上流側に位置しているのが好ましい。また、該本体ケーシングは、該モータが収容されるモータハウジングと、ハンドルとを有し、該モータハウジングと該ハンドルとは該電池が着脱される側の端部にて互いに連結されるとともに、該モータハウジングと該ハンドルとの間には空間が画成されており、該保護手段は、該モータハウジング内に配置されているのが好ましい。
【発明の効果】
【０００９】
請求項１記載のコードレス電動工具によれば、保護手段の少なくとも一部が冷却風の通路内に位置するように配置されている。このため、保護手段の発熱を抑制して誤動作を防止することができる。また、保護手段の寿命の低下を防止することができる。
【００１０】
請求項２記載のコードレス電動工具によれば、本体ハウジングには風窓が形成され、保護手段は風窓近傍に設けられている。このため、モータ停止時においても保護手段は外気に触れやすく、モータが発生する熱の影響を受けにくい。
【００１１】
請求項３記載のコードレス電動工具によれば、保護手段は、冷却風の通路を遮断しない位置であって冷却風の通路内に一部張り出す位置に設けられており、もって風窓から導入された冷却風の一部が保護手段に向かうとともに冷却風の他の一部はモータへ直接向かうように構成されている。したがって、保護手段がモータへ向かう冷却風を妨げることがなく、モータの冷却性能を維持したまま保護手段の冷却を行うことができる。
【００１２】
請求項４記載のコードレス電動工具によれば、保護手段は、冷却風が流れる方向に関してモータよりも上流側に位置している。したがって、冷却風は保護手段を通り過ぎてモータへ向かうため、保護手段はモータから発生される熱の影響を受けにくい。
【００１３】
請求項５記載のコードレス電動工具によれば、保護手段はモータハウジング内に配置されている。このためハンドルの設計の際に保護手段の制約を受けず、ハンドルを必要以上に太くする必要がない。
【発明を実施するための最良の形態】
【００１４】
本発明の第１の実施の形態によるコードレス電動工具について図１乃至図４に基づき説明する。本実施の形態によるコードレス電動工具１はジグソーである。コードレス電動工具１は、本体ケーシング１０と、電池パック２０と、モータ３０と、冷却ファン４０と、保護手段５０と、ベース部６０と、駆動部７０（図３）と、ブレード８０とから主に構成されている。なお説明の便宜上、図１乃至図３に示されるように、モータ３０の回転軸方向を前後方向とし、前後方向に直交する方向であってブレード８０が延びる方向を上下方向とする。また、前後方向及び上下方向の双方に直交する方向を左右方向（図２）とする。
【００１５】
図１乃至図３に示されるように、本体ケーシング１０は、アルミ等のフレームから構成されており、モータハウジング１１と、ギヤハウジング１３と、ハンドル１５とを有する。モータハウジング１１内には、モータ３０及び冷却ファン４０等が収容される空間であるモータ収容部が画成されている。ギヤハウジング１３内には、駆動部７０が収容される空間であるギヤ収容部が画成されている。ハンドル１５は、作業者がコードレス電動工具１を把持するための把持部である。また本体ケーシング１０は、モータ収容部及びギヤ収容部を外気と区画する壁部である底部壁１７を備えている。
【００１６】
モータハウジング１１とハンドル１５とは、後端部（すなわち電池パック２０が着脱される側の端部）にて互いに連結されている。また、モータハウジング１１とハンドル１５との間には空間１０ａが画成されており、作業者はハンドル１５を把持し易くなっている。
【００１７】
モータハウジング１１は、モータ３０の左右にそれぞれ位置する側壁１１Ａと、モータ３０の後部に位置する後部壁１１Ｂと、モータ３０の上部に位置する上部壁１１Ｃと、モータ３０の下部に位置する下部壁１１Ｄとを有する。
【００１８】
各側壁１１Ａには、スリット状（或いは長楕円状）開口部からなる側面風窓１２ａが複数個（本実施の形態では３個）形成されている。各側面風窓１２ａは水平方向（前後方向）に対して傾斜する方向に延びており、また３個の側面風窓１２ａの大きさはそれぞれ異なっている。さらに後部壁１１Ｂには、左右方向に延びるスリット状の背面風窓１２ｂが複数個（本実施の形態では３個）形成されている。側面風窓１２ａ及び背面風窓１２ｂの形状は、冷却風の流れ及びモータハウジング１１の形状等を考慮して設計されている。
【００１９】
モータ３０と各側壁１１Ａとの間には、後述する冷却風が通過可能な隙間が形成されている。同様に、モータ３０と上部壁１１Ｃとの間、及びモータ３０と下部壁１１Ｄとの間にも冷却風が通過可能な隙間が形成されている。すなわち、モータ３０の周囲には上下左右の略全周にわたって冷却風を通過させるための隙間が確保されている。また、底部壁１７と駆動部７０との間には、冷却風を外部へ排出するための排出孔１７ａが形成されている。以上より、本体ケーシング１０内には、側面風窓１２ａ及び背面風窓１２ｂからモータ３０の周囲を通って排出孔１７ａへと抜ける冷却風の通路が形成されている。
【００２０】
電池パック２０は、本体ケーシング１０の後端部、即ちモータハウジング１１とハンドル１５との連結部付近に着脱可能に設けられる。電池パック２０は、モータ３０及び保護手段５０等に電力を供給可能に構成されている。電池パック２０の電気的構成については後述する。
【００２１】
モータ３０は、上述のとおりモータハウジング１１内に収容されており、電池パック２０から供給される電力により回転力を発生可能である。モータ３０の前端部には出力軸３１（図３）が延出されている。出力軸３１の先端部分には、ピニオンギア３１Ａが設けられている。ハンドル１５には、モータ３０の回転をオン・オフするためのスイッチであるトリガスイッチ３３が設けられている。
【００２２】
冷却ファン４０は、モータ３０の出力軸３１に固定されており、出力軸３１の回転と共に回転する。後述するように冷却ファン４０の回転により冷却風が発生して、モータ３０及び保護手段５０の冷却が行われる。
【００２３】
保護手段５０は本実施の形態ではＦＥＴから構成され、電池パック２０の状態の検出結果に応じて、過放電又は過電流状態とならないようにモータ３０への電力供給を遮断するためのものである。電気的構成については後述する。
【００２４】
保護手段５０は、側面風窓１２ａ及び背面風窓１２ｂの近傍に設けられており、側面風窓１２ａのうち最も上側の側面風窓１２ａ１（図１）とは左右方向から見て一部重なる位置に配置されている。また保護手段５０は、モータハウジング１１内であってモータ３０と電池パック２０との間に位置している。さらに言えば、保護手段５０は、冷却風が流れる方向に関してモータ３０よりも上流側に位置しており、その一部が冷却風の通路内に位置するように配置されている。本実施の形態では、矢印Ｂ０で示されるように、保護手段５０の略下半分が冷却風の通路内に位置している。また保護手段５０は、冷却風の通路を遮断しない位置であって冷却風の通路内に一部張り出す位置に設けられている。
【００２５】
ベース部６０は、アルミ等を基材として下方から見て略長方形に構成されており、ベース板６１及び接続部６２を有する。ベース板６１は、使用時に被加工部材と対向接触する部分である。ベース板６１の前側の縁部には、切り込みが入れられて開口部６１ａが形成されている。使用時には、ブレード８０が開口部６１ａを通って上下運動可能である。接続部６２は、開口部６１ａよりも後側においてベース板６１よりも上側に窪んだ部分であり、ねじ６３により底部壁１７に固定されている。
【００２６】
駆動部７０は、歯車部７１と、伝達部７２と、プランジャ７４と、ローラ部７５とを備える。歯車部７１は、ピニオンギア３１Ａと噛合する平歯車７１Ａを有する。平歯車７１Ａは、スピンドル７１Ｂによりギヤハウジング１３に回転可能に支持されている。平歯車７１Ａには、スピンドル７１Ｂと異軸かつ平行にピン７１Ｃが突出して設けられている。
【００２７】
プランジャ７４は、略棒状に構成され、長手方向が上下方向となるように支持部７３、７３により摺動可能に支持されている。またプランジャ７４は、上端部を支点として下端部が前後方向に揺動可能に支持されている。プランジャ７４の下端部分には、ブレード８０が保持されている。またプランジャ７４の上端側の支持部７３と下端側の支持部７３との間に位置する部分には、左右方向に延びる溝を画成する受け部７４Ａが設けられており、受け部７４Ａの溝内にピン７１Ｃが挿入されている。ピン７１Ｃは受け部７４Ａの溝内で、左右方向の動きは許容され、上下方向の動きが規制されているため、受け部７４Ａはピン７１Ｃの動きに応じて上下動のみ行うようになる。故にピン７１Ｃのスピンドル７１Ｂ周りの回転をプランジャ７４の上下方向の動きに変換することができる。
【００２８】
ローラ部７５は、ピン７５Ｂを回動中心として回動可能に構成されたローラホルダ７５Ａと、ローラホルダ７５Ａの前端に回転可能に支持されるとともにブレード８０の背部分に当接するローラ７５Ｃとを有する。詳細な説明は省略するが、モータ３０の回転力が伝達部７２の上下往復運動に変換されてローラホルダ７５Ａを回動させ、もってブレード８０を前後方向にも移動させることができる。
【００２９】
次にコードレス電動工具１の電気的構成の概略について、図４を参照しながら説明する。電池パック２０は、複数のリチウム電池セル２１ａ〜２１ｄからなる電池組２１と、過放電・過電流検出回路２２とを備えている。工具本体（本体ケーシング１０）は、モータ３０と、正逆切り換えスイッチ３２と、トリガスイッチ３３と、ＦＥＴ５０（保護手段）と、ＦＥＴ駆動回路３６とを備えている。
【００３０】
電池組２１は、工具本体（本体ケーシング１０）側に電力を供給するためのものである。過放電・過電流検出回路２２は、電池組２１の状態（電圧又は電流）を監視し、その検出結果に応じて、過放電又は過電流状態に関する所定の信号をＬＤ端子から工具本体（本体ケーシング１０）側に出力するためのものである。
【００３１】
モータ３０は、電池組２１から供給される電力により回転するように構成されている。正逆切り換えスイッチ３２は、モータ３０の回転方向を切り換えるためのスイッチである。トリガスイッチ３３は、モータ３０と電池組２１との間に接続されている。ＦＥＴ５０は、ＦＥＴ駆動回路３６からの信号に基づきオン・オフする。
【００３２】
ＦＥＴ駆動回路３６は、過放電・過電流検出回路２２からの所定の信号に基づき、ＦＥＴ５０にオン信号又はオフ信号を出力するアナログ回路である。具体的には、過放電・過電流検出回路２２から所定の信号が入力されていない場合には、ＦＥＴ５０にオン信号を出力し、ＦＥＴ５０をオンさせる。一方、過放電・過電流検出回路２２から所定の信号が入力された場合には、ＦＥＴ５０にオフ信号を出力し、ＦＥＴ５０をオフさせる。このように、電池パック２０が過放電又は過電流状態となるのを防止すべく、モータ３０への電力供給を遮断することができる。
【００３３】
次に第１の実施の形態によるコードレス電動工具１の動作について説明する。使用者がトリガスイッチ３３を押すことにより、電池パック２０の電力がモータ３０に供給されモータ３０が回転する。このときモータ３０が発熱するのは言うまでもないが、保護手段（ＦＥＴ）５０にも電流が流れるため発熱する。
【００３４】
モータ３０が回転すると冷却ファン４０も共に回転し、側面風窓１２ａ及び背面風窓１２ｂのそれぞれから外気が取り込まれる（図１〜図３の矢印Ａ１及びＡ２参照）。取込まれた外気は、保護手段５０及びモータ３０の周囲を通って外部に排出される（矢印Ｂ０〜Ｂ３）。
【００３５】
上述したように、本実施の形態では、保護手段５０の略下半分が冷却風の通路内に位置している。より具体的には、背面風窓１２ｂから導入された外気のうち、例えば最も上側に位置する背面風窓１２ｂ１（図３）から導入された外気による冷却風（矢印Ｂ０、Ｂ１）は保護手段５０の略下半分の周囲を通ってモータ３０へ向かう。これに対して、最も下側に位置する背面風窓１２ｂ２（図３）から導入された外気による冷却風（矢印Ｂ２、Ｂ３）は、保護手段５０の周囲を通らずに直接モータ３０へ向かう。
【００３６】
一方、側面風窓１２ａから導入された外気のうち、例えば最も上側に位置する側面風窓１２ａ１（図１）から導入された外気による冷却風は、保護手段５０の側部をかすめるようにしてモータ３０へ向かう。これに対して、最も下側に位置する側面風窓１２ａ２（図１）から導入された外気による冷却風は、保護手段５０の周囲を通らずに直接モータ３０へ向かう。
【００３７】
このように、背面風窓１２ｂから導入された外気による冷却風の一部は保護手段５０の周囲を通ってモータ３０へ向かい、別の一部は保護手段５０の周囲を通らずに直接モータ３０へ向かう。また、側面風窓１２ａから導入された外気による冷却風の一部は保護手段５０の側部を通ってモータ３０へ向かい、別の一部は保護手段５０の周囲を通らずにモータ３０へ向かう。以上より、保護手段５０は冷却風が流れる方向に関してモータ３０よりも上流側に位置しているにもかかわらず、冷却風の流れを遮断することがない。よって、側面風窓１２ａ及び背面風窓１２ｂの双方からから導入された冷却風により、保護手段５０及びモータ３０を効率よく冷却することができる。
【００３８】
上述した第１の実施の形態によるコードレス電動工具によれば、保護手段５０の少なくとも一部が冷却風の通路内に位置するように配置されている。このため、保護手段５０の発熱を抑制して誤動作を防止することができる。また、保護手段５０の寿命の低下を防止することができる。
【００３９】
また、本体ケーシング１０には風窓１２ａ、１２ｂが形成され、保護手段５０は風窓１２ａ、１２ｂの近傍に設けられている。このため、モータ３０の停止時においても保護手段５０は外気に触れやすく、モータ３０が発生する熱の影響を受けにくい。
【００４０】
保護手段５０は、冷却風の通路を遮断しない位置であって冷却風の通路内に一部張り出す位置に設けられており、したがって風窓１２ａ、１２ｂから導入された冷却風の一部が保護手段５０に向かうとともに冷却風の他の一部はモータ３０へ直接向かうように構成されている。したがって、保護手段５０がモータ３０へ向かう冷却風を妨げることがなく、モータ３０の冷却性能を維持したまま保護手段５０の冷却を行うことができる。
【００４１】
また保護手段５０は、冷却風が流れる方向に関してモータ３０よりも上流側に位置している。したがって、冷却風は保護手段５０を通り過ぎてモータ３０へ向かうため、保護手段５０はモータ３０から発生される熱の影響を受けにくい。
【００４２】
さらに保護手段５０はモータハウジング１１内に配置されている。このためハンドル１５の設計の際に保護手段５０の制約を受けず、ハンドル１５を必要以上に太くする必要がない。
【００４３】
本発明の第２の実施の形態によるコードレス電動工具について図５に基づき説明する。本実施の形態によるコードレス電動工具１０１は全ねじカッタである。コードレス電動工具１０１は、本体ケーシング１１０と、電池パック１２０と、図示しないモータ及び冷却ファンと、保護手段１５０と、カッタ部１８０とを備えている。コードレス電動工具１０１は、カッタ部１８０内に全ねじを所定の状態で配置し、カッタ部１８０に設けられた切断機構を作動させることにより全ねじを切断することができる。
【００４４】
本体ケーシング１１０は、モータハウジング１１１とハンドル１１５とを有する。モータハウジング１１１の側壁１１１Ａのうちモータ（図示せず）よりも後方（電池パック１２０に近い位置）には、複数のスリット状開口部からなる風窓１１２ａが形成されている。側壁１１１Ａのうちモータ（図示せず）よりも前方には、複数のスリット状開口部からなる排出孔１１２ｂが形成されている。さらに、風窓１１２ａと排出孔１１２ｂとの間には、同じく複数のスリット状開口部からなる通気孔１１２ｃが形成されている。
【００４５】
保護手段（ＦＥＴ）１５０は、モータハウジング１１１内であってモータ（図示せず）と電池パック１２０との間に配置されている。また保護手段１５０は、風窓１１２ａの近傍（図５に示されるように左右方向から見て一部重なる位置）に設けられている。
【００４６】
第２の実施の形態によるコードレス電動工具１０１によれば、モータ及び冷却ファンの回転に伴い、風窓１１２ａから外気が取り込まれる（矢印Ａ２）。取り込まれた外気は、モータハウジング１１１内のモータの周囲を通って排出孔１１２ｂから外部へ排出される（矢印Ｃ）。また、通気孔１１２ｃからも多少の外気が導入される。このとき風窓１１２ａから取込まれた外気は保護手段１５０の側面を通ってモータへ向かうから、保護手段１５０はモータの冷却の妨げとならない。したがって、保護手段１５０及びモータの双方を効率よく冷却することができる。
【００４７】
本発明の第３の実施の形態によるコードレス電動工具について図６に基づき説明する。本実施の形態によるコードレス電動工具２０１はグラインダである。コードレス電動工具２０１は、本体ケーシング２１０と、電池パック２２０と、図示しないモータ及び冷却ファンと、保護手段２５０と、砥石２８０とを備えている。コードレス電動工具２０１は、モータの駆動力により砥石２８０を回転させることにより被研磨材を研磨するための工具である。
【００４８】
本体ケーシング２１０は、モータハウジング２１１を有する。本実施の形態によるコードレス電動工具２０１では、モータハウジング２１１は使用者が把持する部分であるハンドルを兼ねている。モータハウジング２１１の側壁２１１Ａのうちモータ（図示せず）よりも後方（電池パック２２０に近い位置）には、複数のスリット状開口部からなる風窓２１２が形成されている。モータハウジング２１１の前方壁２１１Ｂには、複数のスリット状開口部からなる排出孔（図示せず）が形成されている。
【００４９】
保護手段（ＦＥＴ）２５０は、モータハウジング２１１内であってモータ（図示せず）と電池パック２２０との間に配置されている。保護手段２５０は、風窓２１２の近傍（図６に示されるように左右方向から見て一部重なる位置）に設けられている。
【００５０】
第３の実施の形態によるコードレス電動工具２０１によれば、モータ及び冷却ファン（図示せず）の回転に伴い、風窓２１２から外気が取り込まれる（矢印Ａ２）。取り込まれた外気は、モータハウジング２１１内のモータの周囲を通って排出孔（図示せず）から外部へ排出される（矢印Ｃ）。このとき風窓２１２から取込まれた外気は保護手段２５０の側面を通ってモータへ向かうから、保護手段２５０はモータの冷却の妨げとならない。したがって、保護手段２５０及びモータの双方を効率よく冷却することができる。
【００５１】
本発明によるコードレス電動工具は上述した実施の形態に限定されず、特許請求の範囲に記載した範囲で種々の変形や改良が可能である。例えば、上述した第１乃至第３の実施の形態によるコードレス電動工具１、１０１、２０１では、それぞれ風窓１２ａ及び１２ｂ、風窓１１２ａ、風窓２１２を形成することにより、本体ケーシング内に外気を導入していた。しかし、冷却風の通路が確保されていれば、必ずしも風窓が形成されている必要はない。
【００５２】
また上述した実施の形態では、保護手段としてＦＥＴが用いられていたが、同様の機能を達成可能であれば他のトランジスタ等でもよい。
【００５３】
また上述した第１の実施の形態によるコードレス電動工具１では、保護手段５０の一部が冷却風の通路内に位置するように配置されていた。しかし、保護手段の一部ではなく全体が冷却風の通路内に位置するような構成でもよい。ただし、このような構成であってもモータへ流れる冷却風の通路が十分確保されているのが好ましい。
【図面の簡単な説明】
【００５４】
【図１】本発明の第１の実施の形態によるコードレス電動工具を示す側面図。
【図２】第１の実施の形態によるコードレス電動工具を示す背面図。
【図３】第１の実施の形態によるコードレス電動工具の内部構造を示す断面図。
【図４】第１の実施の形態によるコードレス電動工具において、電池パック及び工具本体の電気的構成を示す回路図。
【図５】本発明の第２の実施の形態によるコードレス電動工具を示す側面図。
【図６】本発明の第３の実施の形態によるコードレス電動工具を示す側面図。
【符号の説明】
【００５５】
１・・・コードレス電動工具（ジグソー）、    １０・・・本体ケーシング、    １１・・・モータハウジング、    １１Ａ・・・側壁、    １１Ｂ・・・後部壁、    １１Ｃ・・・上部壁、    １１Ｄ・・・下部壁、    １２ａ・・・側面風窓、    １２ｂ・・・背面風窓、    １３・・・ギヤハウジング、    １５・・・ハンドル、    １７・・・底部壁、    １７ａ・・・排出孔、    ２０・・・電池パック、    ２１・・・電池組、    ２１ａ〜２１ｄ・・・リチウム電池セル、    ２２・・・過放電・過電流検出回路、    ３０・・・モータ、    ３１Ａ・・・ピニオンギア、    ３１・・・出力軸、    ３２・・・正逆切り換えスイッチ、    ３３・・・トリガスイッチ、    ３６・・・駆動回路、    ４０・・・冷却ファン、    ５０・・・保護手段（ＦＥＴ）、    ６０・・・ベース部、    ６１・・・ベース板、    ６２・・・接続部、    ７０・・・駆動部、    ７１・・・歯車部、    ７１Ａ・・・平歯車、    ７１Ｂ・・・スピンドル、    ７１Ｃ・・・ピン、    ７２・・・伝達部、    ７３・・・支持部、    ７４・・・プランジャ、    ７４Ａ・・・受け部、    ７５・・・ローラ部、    ７５Ａ・・・ローラホルダ、    ７５Ｂ・・・ピン、    ７５Ｃ・・・ローラ、    ８０・・・ブレード、    １０１・・・コードレス電動工具（全ねじカッタ）、    １１０・・・本体ケーシング、    １１１・・・モータハウジング、    １１１Ａ・・・側壁、    １１２ａ・・・風窓、    １１２ｂ・・・排出孔、    １１２ｃ・・・通気孔、    １１５・・・ハンドル、    １２０・・・電池パック、    １５０・・・保護手段、    １８０・・・カッタ部、    ２０１・・・コードレス電動工具（グラインダ）、    ２１０・・・本体ケーシング、    ２１１・・・モータハウジング、    ２１１Ａ・・・側壁、    ２１１Ｂ・・・前方壁、    ２１２・・・風窓、    ２２０・・・電池パック、    ２５０・・・保護手段、    ２８０・・・砥石。
【図１】
2008173712.tif 000003
【図２】
2008173712.tif 000004
【図３】
2008173712.tif 000005
【図４】
2008173712.tif 000006
【図５】
2008173712.tif 000007
【図６】
2008173712.tif 000008